(57)【要約】【課題】犬の散歩中に、犬が排泄する排泄物（主に尿）を、簡単かつ跡を残すことなく処理することが可能な犬の排泄物処理具を提供する。【解決手段】本考案は、犬の排尿を処理することが可能な排泄物処理具１であり、三方がシールされた開口３ａを具備するビニール製の三方袋３と、三方袋３の表面に取着され、犬の排尿を吸水する吸水性シート５と、を有することを特徴とする。【選択図】  図１
0003227303.tif 000002
【実用新案登録請求の範囲】
【請求項１】
犬の排尿を処理することが可能な排泄物処理具において、
三方がシールされた開口を具備するビニール製の三方袋と、
前記三方袋の表面に取着され、犬の排尿を吸水する吸水性シートと、
を有することを特徴とする犬の排泄物処理具。
【請求項２】
前記吸水性シートは、高吸水性樹脂による高吸水性ポリマー層が含まれていることを特徴とする請求項１に記載の犬の排泄物処理具。
【請求項３】
前記吸水性シートは、表面が凹凸加工された吸水性のある紙シートが含まれていることを特徴とする請求項１又は２に記載の犬の排泄物処理具。
【請求項４】
前記吸水性シートは、前記三方袋の開口側の領域を除いて取着されており、前記開口側の領域は、吸水性シートを覆うように折り返し可能であることを特徴とする請求項１から３のいずれか１項に記載の犬の排泄物処理具。
【考案の詳細な説明】
【技術分野】
【０００１】
本考案は、犬を散歩しているときに排泄される排泄物（主に尿）を処理する犬の排泄物処理具に関する。
【背景技術】
【０００２】
近年、飼い主が犬を散歩する際、マナーとして、犬の排泄物を処理する排泄物処理具を携行するようになっている。排泄物である尿を処理する処理具として、例えば、特許文献１に開示されたものが知られている。この処理具は、受け皿と、受け皿から上方に伸びる柄を備えており、受け皿の部分に尿吸収材を設置している。飼い主は、犬が尿を排泄する際、立ったままで柄の部分の持ち手を持ち、受け皿を犬の排泄位置に位置付けることで尿を吸収材で受けることが可能となる。
【０００３】
また、特許文献２には、犬が排泄した尿に対して散布する洗浄液が開示されている。この洗浄液は、天然由来の抗菌作用を有する配合物と、中和用配合物と、消臭用配合物と、植物の発育を促す発育促進用配合物を含んだ水溶液として構成されており、環境に配慮した構成となっている。
【先行技術文献】
【特許文献】
【０００４】
【特許文献１】特許第５７５５７９２号
【特許文献２】特開２０１２−１６７０４３号
【考案の概要】
【考案が解決しようとする課題】
【０００５】
上記した特許文献１に開示された処理具は、棒状の器具を持ち運ぶことから取り扱い性が悪く、また、犬の排泄時には、尿吸収材を設置した受け皿を正確に排泄位置に合わせる必要があり、場合によっては、全ての尿を処理できない可能性がある。また、排泄後は、受け皿に形成されているポケット内に設置した尿吸収材を手で取り外す必要があり、処理が面倒であると共に衛生面においても問題がある。
上記した特許文献２に開示されている洗浄液は、犬が排尿した尿に対して散布することから、そのまま液状の痕跡が残ってしまい、尿を処理していないとの印象を与えてしまう。
【０００６】
本考案は、上記した問題に着目してなされたものであり、犬の散歩中に、犬が排泄する排泄物（主に尿）を、簡単かつ跡を残すことなく処理することが可能な犬の排泄物処理具を提供することを目的とする。
【課題を解決するための手段】
【０００７】
上記した目的を達成するために、本考案に係る犬の排尿を処理することが可能な排泄物処理具は、三方がシールされた開口を具備するビニール製の三方袋と、前記三方袋の表面に取着され、犬の排尿を吸水する吸水性シートと、を有することを特徴とする。
【０００８】
上記した排泄物処理具は、犬を散歩する際に携行される。犬が排尿した後、ビニール製の三方袋の中に手を差し込んで、露出している吸水性シートを排尿した部分に押し付ける。排尿は、吸水性シートに吸収され、全てを吸収した後は、三方袋を反転することで吸水性シートが三方袋の内面側になり、これにより、簡単かつ衛生的で、排尿部分の跡を残すことなく処理することが可能となる。
【考案の効果】
【０００９】
本考案によれば、犬が排泄する排泄物（主に尿）を、簡単かつ跡を残すことなく処理することが可能な犬の排泄物処理具が得られる。
【図面の簡単な説明】
【００１０】
【図１】本考案に係る犬の排泄物処理具の一実施形態を示す図。
【図２】図１に示す犬の排泄物処理具の使用例を示す図であり、（ａ）はビニール製の三方袋の中に手を差し込んだ状態を示す図、（ｂ）は吸水性シートを排尿部分に押し付けた状態を示す図、（ｃ）はビニール製の三方袋を反転させた状態を示す図。
【図３】（ａ）はビニール製の三方袋の表面に取着される吸水性シートの一例を示す図、（ｂ）はその断面図。
【図４】吸水性シートの別の実施形態を示す図。
【図５】犬の排泄物処理具の別の実施形態を示す図。
【考案を実施するための形態】
【００１１】
以下、本考案に係る犬の排泄物処理具の実施形態について説明する。
図１から図３に示すように、本実施形態の排泄物処理具１は、犬を散歩している際に排泄される排尿を処理するのに適した構成となっている。
【００１２】
排泄物処理具１は、犬を散歩している際に、ポケットに収納しておく等、容易に携行できる袋状に構成されており、三方がシールされて開口３ａを具備するビニール製の三方袋３と、三方袋３の表面に取着され、犬がした排尿を吸水する吸水性シート５とを備えている。三方袋３は、２枚のシート状のフィルムを重ねて側縁部分及び底縁部分を溶着するか、或いは、１枚のシート状のフィルムを折り曲げて側縁部分を溶着することで形成される。三方袋３は、開口３ａを介して手首から先を差込むことができる大きさに形成されている。
【００１３】
前記吸水性シート５は、三方袋３の表面に露出した状態で取着されている。取着の態様については特に限定されることはないが、例えば、吸水面が露出する袋状に形成されて三方袋３の表面に接着等によって取着されていても良いし、シート状の部材を略３６０°に環状になるようにして端部を接着し、この状態で三方袋３の表面に接着等によって取着されていても良い。すなわち、吸水性シート５の表面が露出した状態で三方袋３の表面に取着されていれば、その形状や取着方法については限定されることはない。
【００１４】
この場合、吸水性シート５は、三方袋３の開口側の領域３Ａを除いて取着されていることが好ましい。すなわち、吸水性シート５の上端縁５Ａから三方袋３の開口側が突出するようにし、開口側の領域３Ａは、図２（ｂ）に示すように、吸水性シート５を覆うように折り返し可能に構成しておくことが好ましい。
【００１５】
図３は、三方袋３に取着される吸水性シート５の一例を示す図である。吸水性シート５は、複数の素材で構成されるシートが積層された積層構造を備えており、その中には高い水分保持性能を備えた高吸水性樹脂が含まれていることが好ましい。図３に示す吸水性シート５の積層構造は、高吸水性樹脂によって形成される高吸水性ポリマー層５ａと、その両面側に積層される吸水紙層５ｂ，５ｂと、その露出面に積層される不織布層５ｃ，５ｃを備えた構成となっており、高吸水性ポリマー層５ａ及び吸水紙層５ｂによって、犬の排尿を効果的に吸収、保持することを可能としている。
【００１６】
上記した構成の排泄物処理具１は、犬を散歩する際に携行される。図２（ａ）に示すように、犬が排尿した後、ビニール製の三方袋３の中に手を差し込んで吸水性シート５を排尿部分１０に押し付ける。これにより、排尿部分１０は、吸水性シート５に吸収され、その後、三方袋３を反転して吸水性シート５を内側にすることで、簡単かつ衛生的に、排尿部分１０の跡を残すことなく処理することが可能となる。なお、本実施形態では、三方袋３の表面に全面に亘って防水性シート５が取着されているため、片側の面で尿を吸水した後、反対側の面でも吸水することが可能である。また、本実施形態では、吸水性シート５の上端縁５Ａから三方袋３の開口側が突出しているので、開口側の領域３Ａは、図２（ｂ）に示すように、吸水性シート５を覆うように折り返すことができ、吸水性シート５を完全に覆うように反転することが容易に行えるようになる。
【００１７】
三方袋３を反転した後は、図２（ｃ）に示すように、上端開口部分を輪ゴム１５で止めたり、縛ることで、内部にある尿を吸水した吸水性シート５を密封することができ、そのままゴミとして廃棄することが可能となる。
【００１８】
上記した構成によれば、犬が排泄した尿を、簡単かつ跡を残すことなく処理することが可能となり、また、従来のように棒状の部材を携行する必要もなく、取扱い性も容易になる。
【００１９】
上記した吸水性シートについては、図４に示すように、表面５０ａが凹凸加工された吸水性のある紙シート５０で構成しても良い。例えば、厚手のキッチンペーパ、表面がエンボス加工された紙製のものを用いることが可能である。吸水性シートの表面に形成される凹凸形状については、例えば、表面をエンボス加工する以外にも、波状に凹凸部を形成したり、これらを組み合わせる等、接触面積を増やすものであれば、特に限定されることはない。また、紙シート５０の厚さを厚くすることで吸水性を高めることも可能である。さらに、このような紙シートは、図３に示した吸水性シート５の吸水紙層５ｂとして用いることも可能である。
【００２０】
図５は、犬の排泄物処理具の別の実施形態を示す図である。
この実施形態では、三方袋３の片側の表面のみに、上記した吸水性シート（紙シートを含む）５（５０）を被着したものであっても良い。このような構成によれば、製造コストの低減が図れると共に、反転して吸水性シートを密封することを容易に行なうことが可能となる。
【００２１】
以上、本考案の実施形態について説明したが、本考案は、排尿以外にも排便した際の処理に用いることも可能である。また、図３，図４に示した吸水性シート５や紙シート５０については、水分を効果的に吸水、保持できれば、その形状、構成については適宜変形することが可能である。さらに、吸水性シート（紙シート）については、実際の使用時に三方袋３の表面に接着、或いは、係止等によって取着された状態になっていれば良い。
【符号の説明】
【００２２】
１  犬の排泄物処理具
３  三方袋
５  吸水性シート
５ａ  高吸水性ポリマー層５ａ
５０  紙シート
【図１】
0003227303.tif 000003
【図２】
0003227303.tif 000004
【図３】
0003227303.tif 000005
【図４】
0003227303.tif 000006
【図５】
0003227303.tif 000007